(57)【要約】【課題】信号波形における所望の変化点を確実かつ容易に表示させる。【解決手段】開始条件が満たされた状態において、波形表示画面上の第１の部位に対する第１の操作と、第１の部位とは相違する第２の部位に対する第２の操作とがこの順で行われたときに、第１の部位に対応する第１の信号レベルと、第２の部位に対応する第２の信号レベルとをそれぞれ特定し（ステップ２２）、第２の信号レベルが第１の信号レベルよりも高いときに（ステップ２６）、第１の信号レベルを指定された信号レベルとして第１の変化点を特定すると共に（ステップ２７ａ，２７ｃ）、第２の信号レベルが第１の信号レベルよりも低いときに（ステップ２６）、第１の信号レベルを指定された信号レベルとして第２の変化点を特定し（ステップ２６，２７ｂ，２７ｄ）、特定した変化点を含む予め規定された時間範囲内の信号波形を波形表示画面に表示させる（ステップ３０）。【選択図】図３
2015014501.tif 000002
【特許請求の範囲】
【請求項１】
波形データを記憶する記憶部と、波形表示画面を表示可能な表示部と、当該表示部の前面側に配設されたタッチパネルと、前記波形データに基づく信号波形を前記波形表示画面に表示させると共に、予め規定された開始条件が満たされたときに、前記波形データに基づき、前記信号波形において指定された信号レベルを下回る信号レベルから当該指定された信号レベルを超える信号レベルに変化する第１の変化点、および当該信号波形において指定された信号レベルを超える信号レベルから当該指定された信号レベルを下回る信号レベルに変化する第２の変化点のいずれか指定された一方を特定し、特定した当該一方の変化点を含む予め規定された時間範囲内の前記信号波形を前記波形表示画面に表示させる処理部とを備え、
前記処理部は、前記開始条件が満たされた状態において、前記タッチパネルにおける前記波形表示画面上の第１の部位に対する第１の操作と、前記タッチパネルにおける前記波形表示画面上の前記第１の部位とは相違する第２の部位に対する第２の操作とがこの順で行われたときに、前記波形表示画面における前記第１の部位に対応する第１の信号レベルと、前記波形表示画面における前記第２の部位に対応する第２の信号レベルとをそれぞれ特定し、前記第２の信号レベルが前記第１の信号レベルよりも高いときに当該第１の信号レベルを前記指定された信号レベルとして前記第１の変化点を前記一方の変化点として特定すると共に、前記第２の信号レベルが前記第１の信号レベルよりも低いときに当該第１の信号レベルを前記指定された信号レベルとして前記第２の変化点を前記一方の変化点として特定する波形表示装置。
【請求項２】
前記処理部は、前記開始条件が満たされた状態において、前記第１の操作および前記第２の操作がこの順で行われたときに、前記波形表示画面における前記第１の部位に対応する第１の時点と、前記波形表示画面における前記第２の部位に対応する第２の時点とをそれぞれ特定し、前記第２の時点が前記第１の時点よりも後の時点のときに当該第１の時点よりも後の時点における前記一方の変化点を特定すると共に、前記第２の時点が前記第１の時点よりも前の時点のときに当該第１の時点よりも前の時点における前記一方の変化点を特定する請求項１記載の波形表示装置。
【請求項３】
前記処理部は、前記タッチパネルにおける前記波形表示画面上のいずれかの部位に対する押圧操作が予め規定された時間を経過して継続されたときに前記開始条件が満たされたと判別すると共に、当該継続されている押圧操作が終了することなく前記タッチパネルにおける当該押圧操作の操作部位とは異なる部位に対する操作が行われたときに前記第２の操作が行われたと判別し、かつ当該継続されている押圧操作のうちの前記予め規定された時間の経過以降の当該押圧操作を前記第１の操作として前記一方の変化点を特定する請求項１または２記載の波形表示装置。
【請求項４】
前記処理部は、前記第１の操作が行われたときに、前記第１の信号レベルを示す信号レベル表示、および当該第１の信号レベルを示す数値表示の少なくとも一方を前記波形表示画面に表示させる請求項１から３のいずれかに記載の波形表示装置。
【請求項５】
前記処理部は、前記一方の変化点を特定したときに、当該一方の変化点に対応する測定時刻を示す時刻表示、および前記波形データにおける最先の時点から当該一方の変化点までの間に対応する経過時間を示す時間表示の少なくとも一方を前記波形表示画面に表示させる請求項１から４のいずれかに記載の波形表示装置。
【請求項６】
前面側にタッチパネルが配設された表示部に波形表示画面を表示させて波形データに基づく信号波形を当該波形表示画面に表示させると共に、予め規定された開始条件が満たされたときに、前記波形データに基づき、前記信号波形において指定された信号レベルを下回る信号レベルから当該指定された信号レベルを超える信号レベルに変化する第１の変化点、および当該信号波形において指定された信号レベルを超える信号レベルから当該指定された信号レベルを下回る信号レベルに変化する第２の変化点のいずれか指定された一方を特定し、特定した当該一方の変化点を含む予め規定された時間範囲内の前記信号波形を前記波形表示画面に表示させる波形表示方法であって、
前記開始条件が満たされた状態において、前記タッチパネルにおける前記波形表示画面上の第１の部位に対する第１の操作と、前記タッチパネルにおける前記波形表示画面上の前記第１の部位とは相違する第２の部位に対する第２の操作とがこの順で行われたときに、前記波形表示画面における前記第１の部位に対応する第１の信号レベルと、前記波形表示画面における前記第２の部位に対応する第２の信号レベルとをそれぞれ特定し、前記第２の信号レベルが前記第１の信号レベルよりも高いときに当該第１の信号レベルを前記指定された信号レベルとして前記第１の変化点を前記一方の変化点として特定すると共に、前記第２の信号レベルが前記第１の信号レベルよりも低いときに当該第１の信号レベルを前記指定された信号レベルとして前記第２の変化点を前記一方の変化点として特定する波形表示方法。
【請求項７】
前面側にタッチパネルが配設された表示部に波形表示画面を表示させて波形データに基づく信号波形を当該波形表示画面に表示させると共に、予め規定された開始条件が満たされたときに、前記波形データに基づき、前記信号波形において指定された信号レベルを下回る信号レベルから当該指定された信号レベルを超える信号レベルに変化する第１の変化点、および当該信号波形において指定された信号レベルを超える信号レベルから当該指定された信号レベルを下回る信号レベルに変化する第２の変化点のいずれか指定された一方を特定させ、特定された当該一方の変化点を含む予め規定された時間範囲内の前記信号波形を前記波形表示画面に表示させる処理を波形表示装置の処理部に実行させる波形表示用プログラムであって、
前記開始条件が満たされた状態において、前記タッチパネルにおける前記波形表示画面上の第１の部位に対する第１の操作と、前記タッチパネルにおける前記波形表示画面上の前記第１の部位とは相違する第２の部位に対する第２の操作とがこの順で行われたときに、前記波形表示画面における前記第１の部位に対応する第１の信号レベルと、前記波形表示画面における前記第２の部位に対応する第２の信号レベルとをそれぞれ特定し、前記第２の信号レベルが前記第１の信号レベルよりも高いときに当該第１の信号レベルを前記指定された信号レベルとして前記第１の変化点を前記一方の変化点として特定すると共に、前記第２の信号レベルが前記第１の信号レベルよりも低いときに当該第１の信号レベルを前記指定された信号レベルとして前記第２の変化点を前記一方の変化点として特定するとの手順が記述されている波形表示用プログラム。
【発明の詳細な説明】
【技術分野】
【０００１】
本発明は、波形データに基づく信号波形を波形表示画面に表示させる波形表示装置および波形表示方法、並びに波形データに基づく信号波形の表示処理を波形表示装置の処理部に実行させる波形表示用プログラムに関するものである。
【背景技術】
【０００２】
出願人は、波形データに基づく波形信号の全体波形および部分波形（以下、総称して「信号波形」ともいう）を表示部に表示可能に構成した波形表示装置を特開２０１３−２４８３５号公報に開示している。出願人が開示している波形表示装置では、波形信号を信号処理（サンプリング処理）して波形データを生成する信号処理部と、信号処理部から出力された波形データを記録する記録部とを備えると共に、制御部が、記録部に記録させた波形データに基づく信号波形を表示部に表示させる処理を実行可能に構成されている。
【０００３】
また、この波形表示装置では、表示部の前面側にタッチセンサが配設されており、上記の制御部が、タッチセンサに対する接触操作（タッチセンサの接触面に対して指先を接触させて行う操作）に従い、信号波形の表示位置を時間軸に沿って変更しつつ表示部に表示させる表示処理を実行する構成が採用されている。この場合、制御部は、タッチセンサによって検出された押圧力の強弱に応じて上記の表示処理における表示位置の変更速度（信号波形のスクロール速度）を増減させる。これにより、この波形表示装置では、信号波形の表示位置を変更しつつ表示させる際（信号波形をスクロールさせる際）の操作性が向上している。
【先行技術文献】
【特許文献】
【０００４】
【特許文献１】特開２０１３−２４８３５号公報（第５−１３頁、第１−１０図）
【発明の概要】
【発明が解決しようとする課題】
【０００５】
ところが、出願人が開示している波形表示装置、およびその波形表示方法には、以下の改善すべき課題が存在する。すなわち、出願人が開示している波形表示装置および波形表示方法では、タッチセンサ（タッチパネル）に対する接触操作によって信号波形の表示位置を時間軸方向に沿って変更しつつ表示させる（時間軸方向にスクロール表示させる）と共に、接触操作時にタッチセンサに加えられる押圧力の強弱に応じて変更速度を増減させる構成・方法が採用されている。これにより、出願人が開示している波形表示装置および波形表示方法では、表示部に信号波形を表示させた状態においてスクロールボタン（順送りボタン、または逆送りボタン）の表示部位を強く押圧操作することで信号波形を高速スクロールさせることが可能となっている。
【０００６】
しかしながら、例えば、信号波形において所定の信号レベルを下回る信号レベルから所定の信号レベルを超える信号レベルに変化する変化点（以下、「第１の変化点」ともいう）や、信号波形において所定の信号レベルを超える信号レベルから所定の信号レベルを下回る信号レベルに変化する変化点（以下、「第２の変化点」ともいう）を表示部に表示させようとした際に、記録部に記録されている波形データのデータサイズが大きいとき（長時間分の波形データが記録されているとき）には、信号波形を高速にスクロールさせたとしても、第１の変化点、または第２の変化点（以下、区別しないときには、単に「変化点」ともいう）が表示されるまでに長い時間を要することとなる。また、時間短縮のために信号波形のスクロール速度を速くし過ぎたときには、特定すべき変化点を見過ごしてしまうおそれもある。
【０００７】
一方、出願人は、上記のような不都合を解消すべく、「基準とする信号レベル」や「第１の変化点および第２の変化点のいずれを特定するか」等の諸条件を利用者に設定させ、制御部が、設定された条件に合致する変化点を全波形データのなかから特定する構成・方法を試みた。このような構成を採用することにより、記録部に記録されている波形データのデータサイズが大きいときであっても、所望の変化点を確実に特定させて表示部に表示させることが可能となる。しかしながら、出願人が試みた構成・方法では、上記の条件の設定操作が煩雑であるため、この種の装置の操作に不慣れな利用者にとって所望の変化点を特定させるのが困難となっている。したがって、この点を改善するのが好ましい。
【０００８】
また、出願人が試みた構成・方法では、波形表示画面に信号波形が表示されている状態から、その波形表示画面に変えて（または、波形表示画面に重ねて）条件設定画面を表示させて所望の条件を設定させることとなる。したがって、条件設定画面に条件を設定する際には、信号波形が表示部に表示されていない状態、または、信号波形の一部に条件設定画面が重なって表示された状態となるため、この種の装置の操作に熟練した利用者であっても、その時点において表示部（波形表示画面）に表示されている信号波形に応じた的確な条件を設定するのが困難となるおそれがある。したがって、この点を改善するのが好ましい。
【０００９】
本発明は、かかる改善すべき課題に鑑みてなされたものであり、信号波形における所望の変化点を確実かつ容易に表示させ得る波形表示装置、波形表示方法および波形表示用プログラムを提供することを主目的とする。
【課題を解決するための手段】
【００１０】
上記目的を達成すべく請求項１記載の波形表示装置は、波形データを記憶する記憶部と、波形表示画面を表示可能な表示部と、当該表示部の前面側に配設されたタッチパネルと、前記波形データに基づく信号波形を前記波形表示画面に表示させると共に、予め規定された開始条件が満たされたときに、前記波形データに基づき、前記信号波形において指定された信号レベルを下回る信号レベルから当該指定された信号レベルを超える信号レベルに変化する第１の変化点、および当該信号波形において指定された信号レベルを超える信号レベルから当該指定された信号レベルを下回る信号レベルに変化する第２の変化点のいずれか指定された一方を特定し、特定した当該一方の変化点を含む予め規定された時間範囲内の前記信号波形を前記波形表示画面に表示させる処理部とを備え、前記処理部は、前記開始条件が満たされた状態において、前記タッチパネルにおける前記波形表示画面上の第１の部位に対する第１の操作と、前記タッチパネルにおける前記波形表示画面上の前記第１の部位とは相違する第２の部位に対する第２の操作とがこの順で行われたときに、前記波形表示画面における前記第１の部位に対応する第１の信号レベルと、前記波形表示画面における前記第２の部位に対応する第２の信号レベルとをそれぞれ特定し、前記第２の信号レベルが前記第１の信号レベルよりも高いときに当該第１の信号レベルを前記指定された信号レベルとして前記第１の変化点を前記一方の変化点として特定すると共に、前記第２の信号レベルが前記第１の信号レベルよりも低いときに当該第１の信号レベルを前記指定された信号レベルとして前記第２の変化点を前記一方の変化点として特定する。
【００１１】
また、請求項２記載の波形表示装置は、請求項１記載の波形表示装置において、前記処理部は、前記開始条件が満たされた状態において、前記第１の操作および前記第２の操作がこの順で行われたときに、前記波形表示画面における前記第１の部位に対応する第１の時点と、前記波形表示画面における前記第２の部位に対応する第２の時点とをそれぞれ特定し、前記第２の時点が前記第１の時点よりも後の時点のときに当該第１の時点よりも後の時点における前記一方の変化点を特定すると共に、前記第２の時点が前記第１の時点よりも前の時点のときに当該第１の時点よりも前の時点における前記一方の変化点を特定する。
【００１２】
さらに、請求項３記載の波形表示装置は、請求項１または２記載の波形表示装置において、前記処理部は、前記タッチパネルにおける前記波形表示画面上のいずれかの部位に対する押圧操作が予め規定された時間を経過して継続されたときに前記開始条件が満たされたと判別すると共に、当該継続されている押圧操作が終了することなく前記タッチパネルにおける当該押圧操作の操作部位とは異なる部位に対する操作が行われたときに前記第２の操作が行われたと判別し、かつ当該継続されている押圧操作のうちの前記予め規定された時間の経過以降の当該押圧操作を前記第１の操作として前記一方の変化点を特定する。
【００１３】
また、請求項４記載の波形表示装置は、請求項１から３のいずれかに記載の波形表示装置において、前記処理部は、前記第１の操作が行われたときに、前記第１の信号レベルを示す信号レベル表示、および当該第１の信号レベルを示す数値表示の少なくとも一方を前記波形表示画面に表示させる。
【００１４】
さらに、請求項５記載の波形表示装置は、請求項１から４のいずれかに記載の波形表示装置において、前記処理部は、前記一方の変化点を特定したときに、当該一方の変化点に対応する測定時刻を示す時刻表示、および前記波形データにおける最先の時点から当該一方の変化点までの間に対応する経過時間を示す時間表示の少なくとも一方を前記波形表示画面に表示させる。
【００１５】
また、請求項６記載の波形表示方法は、前面側にタッチパネルが配設された表示部に波形表示画面を表示させて波形データに基づく信号波形を当該波形表示画面に表示させると共に、予め規定された開始条件が満たされたときに、前記波形データに基づき、前記信号波形において指定された信号レベルを下回る信号レベルから当該指定された信号レベルを超える信号レベルに変化する第１の変化点、および当該信号波形において指定された信号レベルを超える信号レベルから当該指定された信号レベルを下回る信号レベルに変化する第２の変化点のいずれか指定された一方を特定し、特定した当該一方の変化点を含む予め規定された時間範囲内の前記信号波形を前記波形表示画面に表示させる波形表示方法であって、前記開始条件が満たされた状態において、前記タッチパネルにおける前記波形表示画面上の第１の部位に対する第１の操作と、前記タッチパネルにおける前記波形表示画面上の前記第１の部位とは相違する第２の部位に対する第２の操作とがこの順で行われたときに、前記波形表示画面における前記第１の部位に対応する第１の信号レベルと、前記波形表示画面における前記第２の部位に対応する第２の信号レベルとをそれぞれ特定し、前記第２の信号レベルが前記第１の信号レベルよりも高いときに当該第１の信号レベルを前記指定された信号レベルとして前記第１の変化点を前記一方の変化点として特定すると共に、前記第２の信号レベルが前記第１の信号レベルよりも低いときに当該第１の信号レベルを前記指定された信号レベルとして前記第２の変化点を前記一方の変化点として特定する。
【００１６】
また、請求項７記載の波形表示用プログラムは、前面側にタッチパネルが配設された表示部に波形表示画面を表示させて波形データに基づく信号波形を当該波形表示画面に表示させると共に、予め規定された開始条件が満たされたときに、前記波形データに基づき、前記信号波形において指定された信号レベルを下回る信号レベルから当該指定された信号レベルを超える信号レベルに変化する第１の変化点、および当該信号波形において指定された信号レベルを超える信号レベルから当該指定された信号レベルを下回る信号レベルに変化する第２の変化点のいずれか指定された一方を特定させ、特定された当該一方の変化点を含む予め規定された時間範囲内の前記信号波形を前記波形表示画面に表示させる処理を波形表示装置の処理部に実行させる波形表示用プログラムであって、前記開始条件が満たされた状態において、前記タッチパネルにおける前記波形表示画面上の第１の部位に対する第１の操作と、前記タッチパネルにおける前記波形表示画面上の前記第１の部位とは相違する第２の部位に対する第２の操作とがこの順で行われたときに、前記波形表示画面における前記第１の部位に対応する第１の信号レベルと、前記波形表示画面における前記第２の部位に対応する第２の信号レベルとをそれぞれ特定し、前記第２の信号レベルが前記第１の信号レベルよりも高いときに当該第１の信号レベルを前記指定された信号レベルとして前記第１の変化点を前記一方の変化点として特定すると共に、前記第２の信号レベルが前記第１の信号レベルよりも低いときに当該第１の信号レベルを前記指定された信号レベルとして前記第２の変化点を前記一方の変化点として特定するとの手順が記述されている。
【発明の効果】
【００１７】
請求項１記載の波形表示装置、および請求項６記載の波形表示方法では、開始条件が満たされた状態において、波形表示画面上の第１の部位に対する第１の操作と、第１の部位とは相違する第２の部位に対する第２の操作とがこの順で行われ、第２の部位に対応する第２の信号レベルが第１の部位に対応する第１の信号レベルよりも高いときに、第１の信号レベルを「指定された信号レベル」として、信号波形において「指定された信号レベル」を下回る信号レベルから「指定された信号レベル」を超える信号レベルに変化する第１の変化点を特定すると共に、第２の信号レベルが第１の信号レベルよりも低いときに、第１の信号レベルを「指定された信号レベル」として、信号波形において「指定された信号レベル」を超える信号レベルから「指定された信号レベル」を下回る信号レベルに変化する第２の変化点を特定し、特定した変化点を含む予め規定された時間範囲内の信号波形を波形表示画面に表示させる。また、請求項７記載の波形表示用プログラムでは、上記の処理を波形表示装置の処理部に実行させる手順が記述されている。
【００１８】
したがって、請求項１記載の波形表示装置、請求項６記載の波形表示方法、および請求項７記載の波形表示用プログラムによれば、波形表示画面に表示されている信号波形をスクロールさせて任意の変化点を表示させる構成・方法・処理手順と比較して、波形データのデータサイズが大きいとき（長時間分の波形データが記録されているとき）においても、所望の変化点を含む信号波形を確実かつ容易に波形表示画面に表示させることができると共に、信号波形のスクロール速度を速くすることに起因する変化点の見過ごしを回避することもできる。また、変化点を特定する条件を設定する条件設定画面を表示させる構成・方法・処理手順とは異なり、この種の装置の操作に不慣れな利用者であっても、任意の変化点を確実かつ容易に特定させて、特定された変化点を含む信号波形を確実かつ容易に波形表示画面に表示させることができる。
【００１９】
また、請求項２記載の波形表示装置によれば、波形表示画面における第１の部位に対応する第１の時点と、波形表示画面における第２の部位に対応する第２の時点とをそれぞれ特定し、第２の時点が第１の時点よりも後の時点のときに第１の時点よりも後の時点における変化点を特定すると共に、第２の時点が第１の時点よりも前の時点のときに第１の時点よりも前の時点における変化点を特定することにより、第１の変化点および第２の変化点のいずれを特定するかとの事項だけでなく、指定した時点よりも後の時点の変化点、および指定した時点よりも前の時点の変化点いずれを特定するかについても、一連の操作によって同時に指定することができるため、所望の変化点を含む信号波形を一層容易に波形表示画面に表示させることができる。
【００２０】
さらに、請求項３記載の波形表示装置によれば、波形表示画面上のいずれかの部位に対する押圧操作が予め規定された時間を経過して継続されたときに開始条件が満たされたと判別すると共に、継続されている押圧操作が終了することなく押圧操作の操作部位とは異なる部位に対する操作が行われたときに第２の操作が行われたと判別し、かつ継続されている押圧操作のうちの予め規定された時間の経過以降の押圧操作を第１の操作として第１の変化点、または第２の変化点を特定することにより、変化点を特定して信号波形を表示させるモードへの移行操作（開始条件が満たされた状態とする操作）を別個に行うことなく、予め規定された時間を超える操作（ロングタップ操作）に続いて第２の操作を行うだけで変化点を特定させることができるため、所望の変化点を含む信号波形を一層容易に波形表示画面に表示させることができる。
【００２１】
また、請求項４記載の波形表示装置によれば、第１の操作が行われたときに、第１の信号レベルを示す信号レベル表示、および第１の信号レベルを示す数値表示の少なくとも一方を波形表示画面に表示させることにより、どのような信号レベルを指定したかを視覚的に認識させることができるため、この種の装置の操作に不慣れな利用者であっても、所望の変化点を含む信号波形を一層容易に波形表示画面に表示させることができる。
【００２２】
さらに、請求項５記載の波形表示装置によれば、第１の変化点、または第２の変化点を特定したときに、その変化点に対応する測定時刻を示す時刻表示、および波形データにおける最先の時点から変化点までの間に対応する経過時間を示す時間表示の少なくとも一方を波形表示画面に表示させることにより、特定された変化点に対応する時点、または、測定時刻を容易に把握させることができる。
【図面の簡単な説明】
【００２３】
【図１】波形表示装置１の構成を示す構成図である。
【図２】波形表示画面１０内に信号波形Ｗを表示した状態の表示画面図である。
【図３】変化点表示処理２０のフローチャートである。
【図４】変化点Ａ１，Ａ２，Ｂ１，Ｂ２の内容について説明するための説明図である。
【図５】条件ＣＡ１，ＣＡ２，ＣＢ１，ＣＢ２の内容について説明するための説明図である。
【図６】波形表示画面１０における位置Ｐ１ａに対するロングタップ操作を行った際の表示画面図である。
【図７】図６に示す位置Ｐ２ａに対するタップ操作を行い、変化点Ａ１を含む信号波形Ｗを波形表示画面１０に表示させた際の表示画面図である。
【図８】波形表示画面１０における位置Ｐ１ｂに対するロングタップ操作を行った際の表示画面図である。
【図９】図８に示す位置Ｐ２ｂに対するタップ操作を行い、変化点Ｂ２を含む信号波形Ｗを波形表示画面１０に表示させた際の表示画面図である。
【発明を実施するための形態】
【００２４】
以下、波形表示装置、波形表示方法および波形表示用プログラムの実施の形態について、添付図面を参照して説明する。
【００２５】
図１に示す波形表示装置１は、「波形表示装置」の一例であって、後述するように、「波形表示用プログラム」の一例である波形表示用プログラムＤｐの記述に従って波形データＤに基づく信号波形Ｗ（図２参照）を表示させることができるように構成されている。この場合、本例の波形表示装置１は、一例として、波形表示用プログラムＤｐがインストールされた既存の電子端末（タブレット端末、スマートフォンまたはパーソナルコンピュータ等）で構成されている。具体的には、波形表示装置１は、操作部２、表示部３、処理部４および記憶部５を備えて構成されている。なお、「波形表示装置」の動作（波形表示方法）についての理解を容易とするために、既存の電子端末で構成されている波形表示装置１における上記の各構成要素２〜５以外の構成要素についての図示および説明を省略する。
【００２６】
操作部２は、一例として、電源ボタンや、音量変更ボタン等の各種の操作ボタンに加えて表示部３の前面側に配設されたタッチパネルを備え、操作ボタンのボタン操作や、タッチパネルに対するタップ操作（タッチ操作）に応じて操作信号Ｓを処理部４に出力する。表示部３は、一例として、液晶パネルおよびバックライトを備えて構成され、処理部４の制御に従って図２に示す波形表示画面１０などの各種表示画面を表示する。
【００２７】
処理部４は、波形表示装置１を総括的に制御する。具体的には、処理部４は、波形表示用プログラムＤｐの記述に従い、図２に示すように、記憶部５から読み出した波形データＤに基づく信号波形Ｗを波形表示画面１０に表示させる。この場合、波形データＤは、「波形データ」の一例であって、図示しない測定装置（波形記録装置）において生成されて、リムーバブルメディア（メモリーカード等）、通信ケーブル、または、各種無線通信網を介して波形表示装置１に読み込まれて記憶部５に記憶される。なお、波形データＤの生成機能を有しない「波形表示装置」の構成を例に挙げて説明するが、波形データＤの生成機能（波形データＤを生成する測定部）を有する構成を採用することもできる。
【００２８】
また、処理部４は、波形表示画面１０に信号波形Ｗを表示させた状態において、波形表示画面１０上のいずれかの位置に対するロングタップ操作が行われたときに（一例として、波形表示画面１０上の同じ位置に対する押圧操作が２秒を超えたとき：「開始条件が満たされたとき」の一例であって、「予め規定された時間」が「２秒」の例）、波形表示用プログラムＤｐの記述に従い、図３に示す変化点表示処理２０を開始して、信号波形Ｗにおいて利用者によって指定された条件に合致する変化点を波形表示画面１０に表示させる。なお、変化点表示処理２０の具体的な内容については、後に詳細に説明する。記憶部５は、波形表示用プログラムＤｐや、外部装置（測定装置：波形記録装置）において生成された波形データＤなどを記憶する。
【００２９】
この波形表示装置１による信号波形Ｗの表示に際しては、まず、波形データＤを取得して記憶部５に記憶させる。なお、リムーバブルメディア、通信ケーブル、および各種無線通信網等を介して波形データＤを取得する作業、および取得した波形データＤを記憶部５に記憶させる作業は公知のため、これらの作業に関する説明を省略する。次いで、操作部２（一例として、タッチパネル）を操作して波形表示用プログラムＤｐを起動させると共に、図示しないデータ選択画面を表示させ、信号波形Ｗの表示を希望する波形データＤを選択する。これに応じて、処理部４は、波形表示用プログラムＤｐの記述に従い、図２に示すように、波形表示画面１０を表示部３に表示させると共に、選択された波形データＤに基づく信号波形Ｗを波形表示画面１０内に表示させる。
【００３０】
この場合、この波形表示画面１０では、波形データＤに基づく全信号波形Ｗ（波形データＤにおける最先のデータから最後のデータまでのすべてに対応する信号波形Ｗ）のうちの設定された時間分の信号波形Ｗが、画面の上下方向に信号レベルを対応させると共に、画面の左右方向に時間軸を対応させた状態で表示される。具体的には、本例の波形表示画面１０では、波形表示画面１０における上方部位が「高い信号レベル」に対応させられ、かつ、波形表示画面１０における下方部位が「低い信号レベル」に対応させられると共に、波形表示画面１０における左方部位が「測定開始からの経過時間が短い時点」に対応させられ、かつ、波形表示画面１０における右方部位が「測定開始からの経過時間が長い時点」に対応させられて信号波形Ｗが表示される。なお、図示を省略しているが、実際の波形表示画面１０には、信号波形Ｗの信号レベルを特定させるためのレベルゲージ表示や、測定開始からの経過時間を示す時間表示などが表示されている。
【００３１】
この状態において、画面右側から左側に向かうスライド操作を行うことによって信号波形Ｗを左向きにスクロールさせて測定開始からの経過時間が長い時点において測定された値のデータに基づく信号波形Ｗを表示させたり、画面左側から右側に向かうスライド操作を行うことによって信号波形Ｗを右向きにスクロールさせて測定開始からの経過時間が短い時点において測定された値のデータに基づく信号波形Ｗを表示させたりすることができる。また、画面左右方向へのピンチアウト操作を行うことによって信号波形Ｗを時間軸方向に拡大して表示させたり、画面左右方向へのピンチイン操作を行うことによって信号波形Ｗを時間軸方向に縮小して表示させたりすることもできる。さらに、画面上下方向へのピンチアウト操作を行うことによって信号波形Ｗを信号レベル方向に拡大して表示させたり、画面上下方向へのピンチイン操作を行うことによって信号波形Ｗを信号レベル方向に縮小して表示させたりすることもできる。
【００３２】
一方、この波形表示装置１（波形表示方法）および波形表示用プログラムＤｐでは、操作部２におけるタッチパネルに対するタップ操作によって、信号波形Ｗにおける任意の変化点を処理部４に特定させ、特定された変化点を含む信号波形Ｗを波形表示画面１０に表示させる処理を実行させることができる。この場合、本例の波形表示装置１（波形表示装置１による波形表示方法）および波形表示用プログラムＤｐでは、後述するように、波形データＤに基づく信号波形Ｗのなかから、図４に示す変化点Ａ１，Ａ２，Ｂ１，Ｂ２の４つのうちの利用者によって選択された１つを特定する構成（処理手順）が採用されている。
【００３３】
具体的には、変化点Ａ１の特定を指示されたときには、「指定された時点」よりも後の時点において「指定された信号レベル（以下、「指定レベル」ともいう）」を下回る信号レベルから「指定レベル」を超える信号レベルに変化する変化点（「第１の変化点」の一例）を特定する。また、変化点Ａ２の特定を指示されたときには、「指定された時点」よりも後の時点において「指定レベル」を超える信号レベルから「指定レベル」を下回る信号レベルに変化する変化点（「第２の変化点」の一例）を特定する。さらに、変化点Ｂ１の特定を指示されたときには、「指定された時点」よりも前の時点において「指定レベル」を下回る信号レベルから「指定レベル」を超える信号レベルに変化する変化点（「第１の変化点」の他の一例）を特定する。また、変化点Ｂ２の特定を指示されたときには、「指定された時点」よりも前の時点において「指定レベル」を超える信号レベルから「指定レベル」を下回る信号レベルに変化する変化点（「第２の変化点」の他の一例）を特定する。
【００３４】
上記のような変化点の特定、および特定した変化点を含む信号波形Ｗの表示に際しては、まず、信号波形Ｗが表示されている波形表示画面１０上の任意の位置をロングタップすることにより、変化点を表示させる処理モード（以下、「変化点検索モード」ともいう）に移行させると共に、基準とする「信号レベル（上記の「指定レベル」）」と、基準とする「時点（上記の「指定された時点」）」とをそれぞれ指定する。具体的には、一例として、図２に示す位置Ｐ１ａに対するロングタップ操作を行う。この際に、位置Ｐ１ａに対するタップ操作（押圧操作）が２秒を超えて継続されたときに、処理部４は、波形表示用プログラムＤｐの記述に従い、図３に示す変化点表示処理２０を開始する。
【００３５】
なお、本例の波形表示装置１（波形表示装置１による波形表示方法）および波形表示用プログラムＤｐでは、「波形表示画面１０上の同じ位置に対するタップ操作が２秒を超えて継続されたとき」が「予め規定された開始条件が満たされたとき」に相当すると共に、「継続されているタップ操作における操作開始から２秒経過後の操作」が「第１の操作」に相当し、かつこの「第１の操作」の操作位置が「第１の位置」に相当する。
【００３６】
この変化点表示処理２０では、処理部４は、まず、上記のロングタップ操作（以下、「第１タップ操作」ともいう）における操作開始から２秒経過後の操作位置（この例では、位置Ｐ１ａ）に対応する「信号レベル（「第１の信号レベル」の一例）」および「時点（「第１の時点」の一例）」をそれぞれ特定する（ステップ２１）。次いで、図６に示すように、処理部４は、特定した「信号レベル」を「指定レベル」として、「指定レベル」を示す信号レベル表示線Ｌ１（「信号レベル表示」の一例）、およびレベル数値表示Ｍ１（「数値表示」の一例）を波形表示画面１０に表示させると共に、特定した「時点」を「指定された時点」として、「指定された時点」を示す基準時点表示線Ｌ２を波形表示画面１０に表示させる（ステップ２２）。また、処理部４は、信号レベル表示線Ｌ１および基準時点表示線Ｌ２の交点（すなわち、第１タップ操作が行われた位置Ｐ１ａ）を中心として矢印Ｍａ１，Ｍａ２，Ｍｂ１，Ｍｂ２を表示させることにより、変化点検索モードに移行した旨を報知する。
【００３７】
続いて、処理部４は、第１タップ操作が継続されているか否かを判別する（ステップ２３）。この際に、以下に説明する操作が行われることなく、第１タップ操作が終了されたとき（この例では、位置Ｐ１ａから指が離れたとき）には、処理部４は、この変化点表示処理２０を終了して、図２に示すように、上記の信号レベル表示線Ｌ１、基準時点表示線Ｌ２、レベル数値表示Ｍ１および矢印Ｍａ１，Ｍａ２，Ｍｂ１，Ｍｂ２を非表示とする。
【００３８】
一方、第１タップ操作が終了されることなく継続されているときには、処理部４は、第１タップ操作の操作位置（この例では、位置Ｐ１ａ）とは異なる位置に対する操作（以下、「第２タップ操作」ともいう）が行われたか否かを判別する（ステップ２４）。この際に、第２タップ操作が行われていないときには、処理部４は、上記のステップ２３に戻って第１タップ操作が継続されているか否かを判別し、第１タップ操作が継続されているときには、ステップ２４に進んで、第２タップ操作が行われたか否かを再び判別する（第１タップ操作が継続されているか否か、および第２タップ操作が行われたか否かの監視）。
【００３９】
なお、本例の波形表示装置１（波形表示装置１による波形表示方法）および波形表示用プログラムＤｐでは、「第１タップ操作が継続されている状態において第１タップ操作の操作位置とは異なる位置に対して行われるタップ操作（第２タップ操作）」が「第２の操作」に相当し、「第２タップ操作」の操作位置が「第２の位置」に相当する。この場合、本例の波形表示装置１（波形表示装置１による波形表示方法）および波形表示用プログラムＤｐでは、図５に示す条件ＣＡ１が満たされたときに、上記の変化点Ａ１の特定を指示されたとし、条件ＣＡ２が満たされたときに、上記の変化点Ａ２の特定を指示されたとし、条件ＣＢ１が満たされたときに、上記の変化点Ｂ１の特定を指示されたとし、条件ＣＢ２が満たされたときに、上記の変化点Ｂ２の特定を指示されたとして処理する構成・処理手順が採用されている。
【００４０】
具体的には、第２タップ操作の位置に対応する「時点」が第１タップ操作の位置に対応する「時点」よりも後の時点であって、かつ、第２タップ操作の位置に対応する「信号レベル」が第１タップ操作の位置に対応する「信号レベル」よりも高いとき、すなわち、第２タップ操作の位置が第１タップ操作の位置の右上の位置であるときに、条件ＣＡ１が満たされたとして変化点Ａ１の特定を指示されたと判別する。また、第２タップ操作の位置に対応する「時点」が第１タップ操作の位置に対応する「時点」よりも後の時点であって、かつ、第２タップ操作の位置に対応する「信号レベル」が第１タップ操作の位置に対応する「信号レベル」よりも低いとき、すなわち、第２タップ操作の位置が第１タップ操作の位置の右下の位置であるときに、条件ＣＡ２が満たされたとして変化点Ａ２の特定を指示されたと判別する。
【００４１】
さらに、第２タップ操作の位置に対応する「時点」が第１タップ操作の位置に対応する「時点」よりも前の時点であって、かつ、第２タップ操作の位置に対応する「信号レベル」が第１タップ操作の位置に対応する「信号レベル」よりも高いとき、すなわち、第２タップ操作の位置が第１タップ操作の位置の左上の位置であるときに、条件ＣＢ１が満たされたとして変化点Ｂ１の特定を指示されたと判別する。また、第２タップ操作の位置に対応する「時点」が第１タップ操作の位置に対応する「時点」よりも前の時点であって、かつ、第２タップ操作の位置に対応する「信号レベル」が第１タップ操作の位置に対応する「信号レベル」よりも低いとき、すなわち、第２タップ操作の位置が第１タップ操作の位置の左下の位置であるときに、条件ＣＢ２が満たされたとして変化点Ｂ２の特定を指示されたと判別する。
【００４２】
より具体的には、第１タップ操作が継続されている状態で、図６に示す位置Ｐ２ａに対するタップ操作が行われたときに、処理部４は、まず、第２タップ操作が行われたと判別し（ステップ２４）、第２タップ操作の位置（この例では、位置Ｐ２ａ）に対応する「信号レベル（「第２の信号レベル」の一例）」および「時点（「第２の時点」の一例）」をそれぞれ特定する（ステップ２５）。次いで、処理部４は、上記の条件ＣＡ１，ＣＡ２，ＣＢ１，ＣＢ２のいずれが満たされたかを判別する（ステップ２６）。
【００４３】
この際に、第１タップ操作の操作位置である位置Ｐ１ａの右上の位置Ｐ２ａに対する第２タップ操作が行われた本例では、処理部４は、条件ＣＡ１が満たされたと判別し、矢印Ｍａ１を、矢印Ｍａ２，Ｍｂ１，Ｍｂ２とは識別可能に表示する（一例として、矢印Ｍａ１を他の矢印よりも明るい表示色で表示する）と共に、上記の変化点Ａ１を特定する（ステップ２７ａ）。また、処理部４は、変化点Ａ１が存在するか否かを判別し（ステップ２８）、存在しないときには、一例として、図示しないスピーカから警告音を発すると共に、「該当する変化点が見付かりません。」とのメッセージを表示部３に表示させて報知し（ステップ２９）、ステップ２３に戻って第１タップ操作が継続されているか否かを判別する。
【００４４】
一方、変化点Ａ１が存在するときには（「一方の変化点を特定したとき」の一例：ステップ２８）、処理部４は、信号波形Ｗを左向きにスクロールさせ、図７に示すように、特定した変化点Ａ１を含む予め規定された時間範囲内の信号波形Ｗを波形表示画面１０に表示させる（ステップ３０）。この際に、処理部４は、特定した変化点Ａ１が基準時点表示線Ｌ２と重なるように信号波形Ｗを表示させると共に、変化点Ａ１に対応する「時点」の測定開始からの経過時間を示す経過時間表示Ｍ２（「波形データにおける最先の時点から一方の変化点までの間に対応する経過時間を示す時間表示」の一例）を基準時点表示線Ｌ２に対応付けて波形表示画面１０に表示させる。なお、各「時点」の測定時刻が波形データＤに記録されている場合には、上記の経過時間表示Ｍ２に代えて（または、経過時間表示Ｍ２に加えて）、測定時刻を示す「時刻表示」を基準時点表示線Ｌ２に対応付けて波形表示画面１０に表示させることもできる（図示せず）。これにより、変化点Ａ１の表示が完了する。
【００４５】
この場合、本例の波形表示装置１（波形表示装置１による波形表示方法）および波形表示用プログラムＤｐでは、第１タップ操作を継続した状態において、一例として、上記の経過時間表示Ｍ２の表示位置に対するタップ操作を行うことにより、特定された変化点Ａ１の「時点」が波形データＤに関連付けて記憶される。これにより、信号波形Ｗをスクロールさせるなどして変化点Ａが波形表示画面１０から消えた状態となっても、上記の一連の操作によって特定させた変化点Ａ１を含む信号波形Ｗが表示された状態の波形表示画面１０（図７に示す波形表示画面１０）を表示部３に再び表示させることが可能となっている。
【００４６】
この後、処理部４は、上記のステップ２３に戻って第１タップ操作が継続されているか否かを判別し、継続されているときには、第２タップ操作が行われたか否かを判別する（ステップ２４）。したがって、例えば、図７に示すように変化点Ａ１を含む信号波形Ｗが波形表示画面１０に表示されている状態において、信号レベル表示線Ｌ１に対応する「信号レベル」を基準として、基準時点表示線Ｌ２に対応する「時点」よりも後の時点の変化点Ａ１を検索する際には、上記の第１タップ操作を終了することなく位置Ｐ１ａの右上の位置をタップ操作する（「第２の操作」の他の一例）。これにより、一度指定した「第１の信号レベル」を維持しつつ、所望の変化点を連続して特定させることが可能となっている。
【００４７】
一方、上記の例とは異なり、一例として、図２に示す位置Ｐ１ｂに対するロングタップ操作が行われたときには、処理部４は、波形表示用プログラムＤｐの記述に従って変化点表示処理２０を開始し、第１タップ操作に対応する「信号レベル（「第１の信号レベル」の他の一例）」および「時点（「第１の時点」の他の一例）」をそれぞれ特定する（ステップ２１）。次いで、図８に示すように、処理部４は、特定した「信号レベル」を示す信号レベル表示線Ｌ１（「信号レベル表示」の他の一例）、およびレベル数値表示Ｍ１（「数値表示」の他の一例）を波形表示画面１０に表示させると共に、特定した「時点」を示す基準時点表示線Ｌ２を波形表示画面１０に表示させる（ステップ２２）。また、処理部４は、信号レベル表示線Ｌ１および基準時点表示線Ｌ２の交点（すなわち、第１タップ操作が行われた位置Ｐ１ｂ）を中心として矢印Ｍａ１，Ｍａ２，Ｍｂ１，Ｍｂ２を表示させることにより、変化点検索モードに移行した旨を報知する。
【００４８】
続いて、処理部４は、第１タップ操作が継続されているか否かを判別し（ステップ２３）、継続されているときには、第２タップ操作が行われたか否かを判別する（ステップ２４）。この際に、図８に示す位置Ｐ２ｂに対するタップ操作が行われたときに、処理部４は、まず、第２タップ操作が行われたと判別し（ステップ２４）、第２タップ操作の位置（この例では、位置Ｐ２ｂ）に対応する「信号レベル（「第２の信号レベル」の他の一例）」および「時点（「第２の時点」の他の一例）」をそれぞれ特定する（ステップ２５）。次いで、処理部４は、上記の条件ＣＡ１，ＣＡ２，ＣＢ１，ＣＢ２のいずれが満たされたかを判別する（ステップ２６）。
【００４９】
この際に、第１タップ操作の操作位置である位置Ｐ１ｂの左下の位置Ｐ２ｂに対する第２タップ操作が行われた本例では、処理部４は、条件ＣＢ２が満たされたと判別し、矢印Ｍｂ２を、矢印Ｍａ１，Ｍａ２，Ｍｂ１とは識別可能に表示すると共に、上記の変化点Ｂ２を特定する（ステップ２７ｄ）。また、処理部４は、変化点Ｂ２が存在するか否かを判別し（ステップ２８）、存在するときには、（「一方の変化点を特定したとき」の他の一例：ステップ２８）、処理部４は、信号波形Ｗを右向きにスクロールさせ、図９に示すように、特定した変化点Ｂ２を含む予め規定した時間範囲内の信号波形Ｗを波形表示画面１０に表示させる（ステップ３０）。この際に、処理部４は、特定した変化点Ｂ２が基準時点表示線Ｌ２と重なるように信号波形Ｗを表示させると共に、変化点Ｂ２に対応する「時点」の測定開始からの経過時間を示す経過時間表示Ｍ２（「時間表示」の他の一例）を基準時点表示線Ｌ２に対応付けて波形表示画面１０に表示させる。これにより、変化点Ｂ２の表示が完了する。
【００５０】
この後、処理部４は、上記のステップ２３に戻って第１タップ操作が継続されているか否かを判別し、継続されているときには、第２タップ操作が行われたか否かを判別する（ステップ２４）。したがって、例えば、図９に示すように変化点Ｂ２を含む信号波形Ｗが波形表示画面１０に表示されている状態において、信号レベル表示線Ｌ１に対応する「信号レベル」を基準として、基準時点表示線Ｌ２に対応する「時点」よりも前の時点の変化点Ｂ２を検索する際には、上記の第１タップ操作を終了することなく位置Ｐ１ｂの右下の位置をタップ操作する（「第２の操作」の他の一例）。これにより、一度指定した「第１の信号レベル」を維持しつつ、所望の変化点を連続して特定させることができる。
【００５１】
なお、図示および詳細な説明を省略するが、第１タップ操作が継続されている状態において行われる第２タップ操作の操作位置が第１タップ操作の操作位置の右下の位置の場合には、上記のステップ２６において条件ＣＡ２が満たされたと判別され、変化点Ａ２が特定される（ステップ２７ｂ）。また、第１タップ操作が継続されている状態において行われる第２タップ操作の操作位置が第１タップ操作の操作位置の左上の位置の場合には、上記のステップ２６において条件ＣＢ１が満たされたと判別され、変化点Ｂ１が特定される（ステップ２７ｃ）。したがって、第１タップ操作の操作位置、および第２タップ操作の操作位置を任意に変更するだけで、変化点Ａ１，Ａ２，Ｂ１，Ｂ２のうちの所望する１つを特定させて信号波形Ｗを表示させることができる。
【００５２】
このように、この波形表示装置１、および波形表示装置１による波形表示方法では、「開始条件」が満たされた状態において、波形表示画面１０上の「第１の部位（上記の例では、位置Ｐ１ａ，Ｐ１ｂ）」に対する「第１の操作」と、「第１の部位」とは相違する「第２の部位（上記の例では、位置Ｐ２ａ，Ｐ２ｂ）」に対する「第２の操作」とがこの順で行われ、「第２の部位」に対応する「第２の信号レベル」が「第１の部位」に対応する「第１の信号レベル」よりも高いときに、「第１の信号レベル」を「指定された信号レベル」として、信号波形Ｗにおいて「指定された信号レベル」を下回る信号レベルから「指定された信号レベル」を超える信号レベルに変化する「第１の変化点」を特定すると共に、「第２の信号レベル」が「第１の信号レベル」よりも低いときに、「第１の信号レベル」を「指定された信号レベル」として、信号波形Ｗにおいて「指定された信号レベル」を超える信号レベルから「指定された信号レベル」を下回る信号レベルに変化する「第２の変化点」を特定し、特定した「変化点」を含む予め規定された時間範囲内の信号波形Ｗを波形表示画面１０に表示させる。また、この波形表示用プログラムＤｐでは、上記の処理を波形表示装置１の処理部４に実行させる手順が記述されている。
【００５３】
したがって、この波形表示装置１、波形表示方法および波形表示用プログラムＤｐによれば、波形表示画面に表示されている信号波形をスクロールさせて任意の変化点を表示させる構成・方法・処理手順と比較して、波形データＤのデータサイズが大きいとき（長時間分の波形データＤが記録されているとき）においても、所望の変化点を含む信号波形Ｗを確実かつ容易に波形表示画面１０に表示させることができると共に、信号波形Ｗのスクロール速度を速くすることに起因する変化点の見過ごしを回避することもできる。また、「変化点」を特定する条件を設定する条件設定画面を表示させる構成・方法・処理手順とは異なり、この種の装置の操作に不慣れな利用者であっても、任意の変化点を確実かつ容易に特定させて、特定された「変化点」を含む信号波形Ｗを確実かつ容易に波形表示画面１０に表示させることができる。
【００５４】
また、この波形表示装置１、波形表示方法および波形表示用プログラムＤｐによれば、波形表示画面１０における「第１の部位」に対応する「第１の時点」と、波形表示画面１０における「第２の部位」に対応する「第２の時点」とをそれぞれ特定し、「第２の時点」が「第１の時点」よりも後の時点のときに「第１の時点」よりも後の時点における「変化点」を特定すると共に、「第２の時点」が「第１の時点」よりも前の時点のときに「第１の時点」よりも前の時点における「変化点」を特定することにより、「第１の変化点（変化点Ａ１，Ｂ１）」と、「第２の変化点（変化点ａ２，ｂ２）」とのいずれを特定するかとの事項だけでなく、指定した「時点」よりも後の時点の「変化点」、および指定した「時点」よりも前の時点の「変化点」のいずれを特定するかについても、一連の操作によって同時に指定することができるため、所望の変化点を含む信号波形Ｗを一層容易に波形表示画面１０に表示させることができる。
【００５５】
さらに、この波形表示装置１、波形表示方法および波形表示用プログラムＤｐによれば、波形表示画面１０上のいずれかの部位に対する押圧操作が予め規定された時間（上記の例では、２秒）を経過して継続されたとき（ロングタップが行われたとき）に「開始条件」が満たされたと判別すると共に、継続されている押圧操作が終了することなく押圧操作の操作部位とは異なる部位に対する操作が行われたときに「第２の操作」が行われたと判別し、かつ継続されている押圧操作のうちの予め規定された時間の経過以降の押圧操作を「第１の操作」として「変化点」を特定することにより、「変化点」を特定して信号波形Ｗを表示させるモードへの移行操作（「開始条件」が満たされた状態とする操作）を別個に行うことなく、ロングタップ操作に続いて「第２の操作」を行うだけで「変化点」を特定させることができるため、所望の「変化点」を含む信号波形Ｗを一層容易に波形表示画面１０に表示させることができる。
【００５６】
また、この波形表示装置１、波形表示方法および波形表示用プログラムＤｐによれば、「第１の操作」が行われたときに、「第１の信号レベル」を示す信号レベル表示線Ｌ１、および「第１の信号レベル」を示すレベル数値表示Ｍ１の少なくとも一方（本例では、双方）を波形表示画面１０に表示させることにより、どのような「信号レベル」を指定したかを視覚的に認識させることができるため、この種の装置の操作に不慣れな利用者であっても、所望の「変化点」を含む信号波形Ｗを一層容易に波形表示画面１０に表示させることができる。
【００５７】
さらに、この波形表示装置１、波形表示方法および波形表示用プログラムＤｐによれば、「第１の変化点」または「第２の変化点」を特定したときに、その「変化点」に対応する測定時刻を示す「時刻表示」、および波形データＤにおける最先の時点から「変化点」までの間に対応する経過時間を示す「時間表示」の少なくとも一方（本例では、「時間表示」としての経過時間表示Ｍ２）を波形表示画面１０に表示させることにより、特定された「変化点」に対応する「時点」（または、「測定時刻」）を容易に把握させることができる。
【００５８】
なお、「波形表示装置」の構成、「波形表示方法」の実行内容、および「波形表示用プログラム」の記述内容は、上記の波形表示装置１の構成、波形表示装置１による波形表示方法の実行内容、および波形表示用プログラムＤｐの記述内容に限定されない。例えば、波形表示画面１０上の同じ位置に対するロングタップが行われたとき（一例として、タップ操作が２秒を超えて継続されたとき）に「開始条件」が満たされたとして変化点表示処理２０を開始する構成・方法・処理手順を例に挙げて説明したが、波形表示画面１０上の同じ位置に対するダブルタップが行われたときに「開始条件」が満たされたとすることもできる。なお、ロングタップに代えてダブルタップの操作を「開始条件」とする際には、一例として、ダブルタップ操作の操作位置とは異なる位置に対するタップ操作を「第２の操作」とし、かつダブルタップ操作の操作位置と同じ位置に対するタップ操作が行われたときに「開始条件が満たされない状態になった」と判別するようにすればよい。また、「第１の操作」や「第２の操作」とは別個のタップ動作によって「変化点」を特定するモードに移行させる構成・方法・処理手順を採用することもできる。このような構成・方法・処理手順を採用することにより、「第１の操作」を継続することなく（タッチパネルから指を離した状態において）、「第２の操作」を行うことが可能となる。
【００５９】
さらに、条件ＣＡ１，ＣＡ２が満たされたときに、指定した「時点」よりも後の時点における変化点（変化点Ａ１，Ａ２）を特定し、条件ＣＢ１，ＣＢ２が満たされたときに、指定した「時点」よりも前の時点における変化点（変化点Ｂ１，Ｂ２）を特定する例について説明したが、指定した「時点」よりも後の時点の変化点、および指定した「時点」よりも前の時点の変化点のいずれを特定するかを指定する操作を「第１の操作」や「第２の操作」とは別個に行う構成・方法・処理手順を採用することもできる。
【００６０】
具体的には、指定した「時点」よりも後の時点の変化点を特定するように予め指定しておき、その後に「第１の操作」および「第２の操作」をこの順で実行することによって「第１の操作」によって指定された「時点」よりも後の時点における「第１の変化点」または「第２の変化点」を特定させたり、指定した「時点」よりも前の時点の変化点を特定するように予め指定しておき、その後に「第１の操作」および「第２の操作」をこの順で実行することによって「第１の操作」によって指定された「時点」よりも前の時点における「第１の変化点」または「第２の変化点」を特定させたりする構成・方法・処理手順を採用することができる。また、「第１の操作」および「第２の操作」によって「第１の変化点」および「第２の変化点」のいずれを特定するかを指定した後に、指定した「時点」よりも後の時点の変化点、および指定した「時点」よりも前の時点の変化点のいずれを特定するかを指定する構成・方法・処理手順を採用することもできる。
【符号の説明】
【００６１】
１  波形表示装置
２  操作部
３  表示部
４  処理部
５  記憶部
１０  波形表示画面
２０  変化点表示処理
Ｄ  波形データ
Ｄｐ  波形表示用プログラム
Ｌ１  信号レベル表示線
Ｌ２  基準時点表示線
Ｍ１  レベル数値表示
Ｍ２  経過時間表示
Ｍａ１，Ｍａ２，Ｍｂ１，Ｍｂ２  矢印
Ｐ１ａ，Ｐ１ｂ，Ｐ２ａ，Ｐ２ｂ  位置
Ｓ  操作信号
Ｗ  信号波形
【図１】
2015014501.tif 000003
【図２】
2015014501.tif 000004
【図３】
2015014501.tif 000005
【図４】
2015014501.tif 000006
【図５】
2015014501.tif 000007
【図６】
2015014501.tif 000008
【図７】
2015014501.tif 000009
【図８】
2015014501.tif 000010
【図９】
2015014501.tif 000011